(57)【要約】【課題】本開示における投写型表示装置は、投写画像の質を向上させることができる投写型表示装置を提供することを目的とする。【解決手段】プロジェクタ１００は、光源（１３０）と、反射型ライトバルブ（ＤＭＤ１８０）と、投影光学系と、光源からの出射光を反射型ライトバルブへ導く照明光学系（１２０）と、固定絞り（１６６）と、可動絞り（１６７）と、を備える。【選択図】図２
2014206721.tif 000002
【特許請求の範囲】
【請求項１】
光源と、
前記光源からの出射光を変調する反射型ライトバルブと、
前記反射型ライトバルブにより生成された画像を所定の光路に沿って出力し、所定の投影面上に投影する投影光学系と、
前記光源からの出射光を前記反射型ライトバルブへ導く照明光学系と、
前記照明光学系の内部に設けられ、前記光源からの出射光の一部を遮光する固定絞りと、
前記照明光学系の内部に設けられ、前記光源からの出射光の一部を遮光する可動絞りと、
を備え、
前記反射型ライトバルブは、表面部を有し、
前記表面部は、前記光源からの出射光の一部を受光して平面反射光として反射し、
前記固定絞りは、前記平面反射光の前記投影光学系への入射を遮蔽する位置に設けられている、
投写型表示装置。
【請求項２】
前記可動絞りと前記固定絞りとは、前記光源からの出射光の光軸と垂直な面上において、前記光軸を中心とする略直角の位置に設けられる、
請求項１に記載の投写型表示装置。
【請求項３】
前記固定絞りは、円弧部を有し、
前記円弧部は、前記光軸と垂直な面上において、前記光源からの出射光の一部を遮光する、
請求項１または２に記載の投写型表示装置。
【請求項４】
前記可動絞りは、複数設けられており、
前記複数の可動絞りは、前記光軸と垂直な面上において、前記光軸に対して、前記複数の遮蔽部同士の距離を均等に調整可能に設けられている、
請求項１から３のいずれか１項に記載の投写型表示装置。
【請求項５】
前記投写型表示装置は、入力された映像信号に応じて、前記可動絞りの前記複数の遮蔽部の移動量を制御する制御部をさらに備えている、
請求項１から４のいずれか１項に記載の投写型表示装置。
【発明の詳細な説明】
【技術分野】
【０００１】
本開示は、映像を投影する投写型表示装置に関する。
【背景技術】
【０００２】
特許文献１は、投写型表示装置を開示する。この投写型表示装置は、光源と、遮光板と、ＤＭＤ（デジタルマイクロミラーディバイス）と、遮光板駆動手段とを備える。
遮光板駆動手段は、遮光板を制御する。これにより、特許文献１の投写型表示装置は、ＤＭＤ表面において光が反射することにより生ずる不要光を遮光し、表示画像のコントラストを調整した画像を表示させることができる。
【先行技術文献】
【特許文献】
【０００３】
【特許文献１】特開２００４−２５８４３９号公報
【発明の概要】
【発明が解決しようとする課題】
【０００４】
本開示は、ＤＭＤ表面にて光が反射することにより生ずる不要光を遮光しつつ、映像に応じて投写型表示装置のコントラストを制御することができる投写型表示装置を提供する。
【課題を解決するための手段】
【０００５】
本開示における投写型表示装置は、光源と、反射型ライトバルブと、投影光学系と、照明光学系と、固定絞りと、可動絞りと、を備える。反射型ライトバルブは、光源からの出射光を変調する。投影光学系は、反射型ライトバルブにより生成された画像を所定の光路に沿って出力し、所定の投影面上に投影する。照明光学系は、光源からの出射光を反射型ライトバルブへ導く。固定絞りは、照明光学系の内部に設けられ、光源からの出射光の一部を遮光する。可動絞りは、照明光学系の内部に設けられ、光源からの出射光の一部を遮光する。反射型ライトバルブは、表面部を有している。表面部は、光源からの出射光の一部を受光して平面反射光として反射する。固定絞りは、平面反射光の投影光学系への入射を遮蔽する位置に設けられている。
【発明の効果】
【０００６】
本開示における投写型表示装置は、ＤＭＤ表面にて光が反射することにより生ずる不要光を遮光しつつ、映像に応じて投写型表示装置のコントラストを制御することで、投写画像の質を向上させることができる。
【図面の簡単な説明】
【０００７】
【図１】実施の形態１に係るプロジェクタの外観斜視図。
【図２】実施の形態１に係るプロジェクタの構成を示す模式図。
【図３】実施の形態１に係るプロジェクタの絞り機構説明図。
【図４】実施の形態１に係るプロジェクタの制御ブロック図。
【図５】（Ａ）は、従来のプロジェクタによる効果を説明する比較図。（Ｂ）は、実施の形態１に係るプロジェクタの効果を説明する図。
【図６】（Ａ），（Ｂ）は、実施の形態１に係るプロジェクタの効果を説明する図。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【０００９】
（実施の形態１）
以下、図１〜図６（Ｂ）を用いて、実施の形態１に係るプロジェクタ１００について説明する。
［１−１］概要
本実施形態のプロジェクタ１００の概要について、図１を用いて説明する。図１は、プロジェクタ１００の外観斜視図である。
プロジェクタ１００は、照明光学系と、デジタルミラーデバイス（以下、ＤＭＤと称する）、プリズムと、投写部とを備えている。プロジェクタ１００は、光源装置において発光した光をＤＭＤにおいて反射させることで映像を生成する。プロジェクタ１００は、生成した映像を、投写部を介してスクリーン１１０に投影する。
【００１０】
［１−２］構成
１−２−１．全体構成
プロジェクタ１００の全体構成について図２を用いて説明する。図２は、本実施形態に係るプロジェクタ１００の構成を示す模式図である。
まず、プロジェクタ１００の光源１３０から出射された光は、カラーホイール１５０を透過することにより、時分割された複数色の照明光が生成される。その後、照明光は、ＴＩＲプリズム１７０に入射する。ＴＩＲプリズム１７０に入射された光は、ＤＭＤ（反射型ライトバルブ）１８０に入射され、映像が生成される。生成された映像は、投写部（投影光学系）１９０を介し、スクリーン１１０（図１参照）に投影される。
【００１１】
以下、プロジェクタ１００の詳細構成について説明する。
照明光学系１２０は、光源１３０と、ロッドインテグレータ１４０と、カラーホイール１５０と、リレー光学系１６０とを有する。
光源１３０は、発光管１３１と、リフレクタ１３２とを有している。
発光管１３１は、互いに波長域が異なる赤色光、緑色光、および青色光を含む光束を射出する。発光管１３１は、例えば、超高圧水銀ランプやメタルハライドランプによって構成される。
【００１２】
リフレクタ１３２は、発光管１３１から射出された光束を反射させ、射出方向を揃える。
ロッドインテグレータ１４０は、入射光の照度を均一化する。ロッドインテグレータ１４０に入射された光は、ロッドインテグレータ１４０の内部で全反射を繰り返し、ロッドインテグレータ１４０の出射面において均一な照度分布となって出射される。ロッドインテグレータ１４０は、光源１３０から出射した光が入射する位置に設けられる。
【００１３】
カラーホイール１５０は、円盤状であって、所定の角度毎に分割された赤（Ｒ）セグメント、緑（Ｇ）セグメント、青（Ｂ）セグメント、白（Ｗ）セグメント毎にカラーフィルタを有している（図示せず）。
赤色カラーフィルタは、光源１３０からの出射光のうち、波長５８０ｎｍ〜７００ｎｍ程度の光である赤色光を透過させる。緑色カラーフィルタは、光源１３０からの出射光のうち、波長４８０ｎｍ〜５８０ｎｍ程度の光である緑色光を透過させる。青色カラーフィルタは、光源１３０からの出射光のうち、波長４００ｎｍ〜４８０ｎｍ程度の光である青色光を透過させる。白色カラーフィルタは、光源１３０からの出射光の全てを透過させる。
【００１４】
カラーホイール１５０は、ロッドインテグレータ１４０の近傍、より詳細には、光源１３０からの出射光の光路上におけるロッドインテグレータ１４０の下流側の端部付近に配置されている。カラーホイール１５０は、駆動機構（図示せず）の駆動力によって、所定の回転数で回転する。カラーホイール１５０は、光源１３０からの出射光を時分割で複数の色光に分離する。カラーホイール１５０は、少なくとも１つ以上のセグメントを有する第１領域と、第１領域以外のセグメントを有する第２領域と、を有している。第１領域は、Ｒ・Ｇ・Ｂのセグメントである。第２領域は、Ｗセグメントである。
【００１５】
リレー光学系１６０は、カラーホイール１５０を透過した光を、ＤＭＤ１８０へ導く。リレー光学系１６０は、ロッドインテグレータ１４０から出射した光の照度分布の均一性を保つことができる複数のレンズ１６１，１６２，１６３によって構成される。
絞り部１６５は、発光管１３１からの出射光の光路上であって、レンズ１６２に光が入射する直前の位置に設けられている。絞り部１６５は、固定絞り１６６と、可動絞り１６７，１６７とを有する。絞り部１６５の構成については、図３を用いて説明を後述する。
【００１６】
ＴＩＲプリズム１７０は、リレー光学系１６０から出射された光をＤＭＤ１８０へ導く。ＴＩＲプリズム１７０は、プリズム１７１と、プリズム１７２とによって構成される。プリズム１７１と、プリズム１７２との近接面には、空気層（図示せず）が存在する。空気層は、薄い空気の層である。臨界角以上の角度で入射する光束は、空気層によって全反射される。全反射された光束は、ＤＭＤ１８０に入射する。
【００１７】
ＤＭＤ１８０は、１９２０×１２００個のマイクロミラーを有する。ＤＭＤ１８０は、映像信号に応じて、各マイクロミラーを偏向させる。これにより、ＤＭＤ１８０は、投写部１９０に入射させる光と、投写部１９０の有効範囲外へ反射する光とを分離する。ＤＭＤ１８０において反射された光束のうち、一部の光束は、ＴＩＲプリズム１７０を透過して投写部１９０に入射する。ＴＩＲプリズム１７０に入射した光束は、空気層に臨界角以下で入射する。従って、この光束は空気層を透過して投写部１９０に入射する。
投写部１９０は、入射した光束を拡大させるための光学系であって、フォーカス機能や拡大機能を有するレンズによって構成されている。投写部１９０は、ＤＭＤ１８０が形成した画像光をスクリーン１１０（図１参照）に投写する。
【００１８】
１−２−２．絞り機構構成
図３は、本実施形態に係るプロジェクタ１００の絞り機構説明図である。図３は、光源１３０からの出射光の光軸に対して垂直な面上における絞り部１６５の構成を示している。
【００１９】
絞り部１６５は、固定絞り１６６と、可動絞り１６７，１６７とを有する。
固定絞り１６６は、照明光学系１２０の内部に設けられ、光源１３０からの出射光の一部を遮光する。固定絞り１６６は、照明光の光束１６８を遮蔽する遮蔽物である。固定絞り１６６の挿入方向は、ＤＭＤ１８０に対する照明光の入射角度が所定の角度範囲に狭まるように絞る方向である。換言すれば、固定絞り１６６は、ＤＭＤ１８０に入射する照明光３００のうち、ＤＭＤ１８０に対する入射角度が小さい側の一部分を遮蔽する（図６（Ｂ）参照）。固定絞り１６６は、投写部１９０の入射瞳と略共役の位置に設置される。ここで、固定絞り１６６が入射瞳と略共役位置に配置されない場合には、スクリーン１１０上の投写画像の一部に影が発生するおそれがある。
【００２０】
なお、上記共役の位置とは、光学的共役関係にある位置を意味している。より具体的には、２つの点のうち、どちらか１つの点から発した光が他の１つの点に結像する２つの点の関係を光学的共役関係といい、例えば、物体と像との関係がある。
また、固定絞り１６６は、光軸に対して垂直な面上において、光軸を中心として、可動絞り１６７から略直角の位置に設けられている。固定絞り１６６は、円弧部１６９を有している。
【００２１】
円弧部１６９は、光軸と垂直な面上において、光源１３０からの出射光の一部を遮光するように設けられている。光源１３０から出射された光は、光軸に対して垂直な面上において、照明光の光束１６８の断面が円形状となる。また、上述したように、固定絞り１６６によって、光軸に対して垂直な面上において、光束の断面はその一部が遮蔽される。これにより、円弧部１６９は、図３に示すように、照明光の光束１６８の断面を三日月状とする。
【００２２】
可動絞り１６７，１６７は、照明光学系１２０の内部に設けられ、光源１３０からの出射光の一部を遮光する。２つの可動絞り１６７，１６７は、それぞれ遮蔽部１６７ａ，１６７ａを有する。遮蔽部１６７ａ，１６７ａは、平板状で、光軸と垂直な面上における断面が長方形である。それぞれの遮蔽部１６７ａ，１６７ａは、光軸と垂直な面上において、光軸の中心に対して、遮蔽部１６７ａ，１６７ａ同士の距離を均等に調整することができるように設けられている。つまり、それぞれの遮蔽部１６７ａ，１６７ａは、照明光の光束１６８を両側から対称形で遮蔽する。
【００２３】
可動絞り１６７，１６７は、図３に示すように、固定絞り１６６に近接した位置に配置されている。可動絞り１６７の光束１６８の中心Ｏに対する挿入方向は、図３に示すように、固定絞り１６６の光束１６８の中心Ｏに対する挿入方向に対して直交する方向（図３中の矢印方向）である。換言すれば、可動絞り１６７，１６７と固定絞り１６６とは、光束１６８の光軸と垂直な面上において、光束１６８の中心（光軸）を中心として略直角の位置に設けられている。可動絞り１６７は、映像入力信号に応じて、照明光の光束１６８の遮蔽量を制御することで、映像の明るさを制御することができる。
【００２４】
［１−３］映像の出力動作
１−３−１．映像の出力システム構成
図４は、本実施形態に係るプロジェクタ１００の制御ブロック図である。以下、図４を用いて、プロジェクタ１００の投写画像出力システムについて説明する。
プロジェクタ１００は、制御部２００を備えている。制御部２００は、映像信号解析部２０５、絞り量算出部２１０と、絞り量制御部２２０と、可動絞り駆動部２３０と、を有する。制御部２００は、入力された映像信号を受信して、映像信号に基づいて可動絞り１６７を制御する。制御部２００に入力される映像信号は、プロジェクタ１００の内部メモリ（図示せず）に予め備えられている映像信号であってもよいし、外部のネットワーク等を介して送信される映像信号であってもよい。
【００２５】
映像信号解析部２０５は、フレーム単位の画像データごとに映像信号を解析する。映像信号解析部２０５は、入力された映像信号から１フレーム毎に輝度を抽出し、映像解析情報を出力する。
絞り量算出部２１０は、映像信号解析部２０５によって抽出された映像解析情報に基づいて可動絞り１６７の絞り量を算出する。例えば、輝度が低い映像信号の場合には、絞り量を増やすことで、照明光量を抑制し画像のコントラストを上げる。逆に、輝度が高い映像信号の場合には、絞り量を減らし、照明光量を保つことで、投写画像の明るさを上げる。
【００２６】
絞り量算出部２１０は、算出された可動絞り１６７の絞り量を、制御信号として絞り量制御部２２０へ出力する。
絞り量制御部２２０は、入力された制御信号に応じて可動絞り駆動部２３０へ駆動エネルギーを供給する。
可動絞り駆動部２３０は、モータ等であって、電圧や電流等によって駆動可能である。可動絞り駆動部２３０が駆動することで、可動絞り１６７を移動させる。
【００２７】
［１−４］効果
以上のように構成したプロジェクタ１００の効果について、図５（Ａ）〜図６（Ｂ）を用いて説明する。
図５（Ａ）は、本実施形態に係るプロジェクタ１００の効果を説明するための従来の構成を示す比較図である。図５（Ｂ）は、本実施形態に係るプロジェクタ１００の効果説明図である。図６は、本実施形態に係るプロジェクタ１００の効果説明図である。
【００２８】
図５（Ａ）は、光軸と垂直な面上において、固定絞り１６６の光束１６８の中心Ｏに対する挿入方向と可動絞り１６７の光束１６８の中心Ｏに対する挿入方向とを一致させた場合を示している。図５（Ｂ）は、光束１６８の光軸と垂直な面上において、光束１６８の中心Ｏに対する固定絞り１６６の挿入方向と可動絞り１６７の挿入方向とが直交するように配置した場合を示している。
【００２９】
図５（Ａ）左図に示すように、固定絞り１６６は、光束１６８の光軸と垂直な面上において、照明光の光束１６８の端から光束１６８の中心Ｏに向かう方向にＡ２の範囲を遮蔽する。固定絞り１６６は、円弧部１６９を有しており、円弧部１６９の円弧の中央部と、光束の端部との間の長さがＡ２になるように配置される。Ａ２は、後述する図６の不要成分光３０５を除去するのに適切な長さである。
【００３０】
図５（Ａ）右図は、絞り量と光量との関係を示した図である。縦軸は、ＤＭＤ１８０へ入射する光量、横軸は、可動絞り１６７による絞り量を示している。可動絞り１６７が閉じた状態から、Ａ１の距離開いた場合（絞り量α１）の光量をａ１、可動絞り１６７がＡ１の距離開いた状態から、Ａ２の距離開いた場合（絞り量α２）の光量をａ２として表示している。
【００３１】
図５（Ｂ）左図に示すように、固定絞り１６６は、光軸と垂直な断面上において、照明光の光束１６８の端から光束１６８の中心Ｏに向かう方向にＢ１の範囲を遮蔽する。
図５（Ｂ）右図は、絞り量と光量との関係を示した図である。縦軸は、ＤＭＤ１８０に入射する光量、横軸は、可動絞り１６７による絞り量を示している。図５（Ｂ）のＡ’１、Ａ’２は、図５（Ａ）のＡ１、Ａ２に該当する距離を表している。可動絞り１６７が閉じた状態から、Ａ’１の距離開いた場合（絞り量β１）の光量をｂ１として表している。可動絞り１６７がＡ’１の距離開いた状態から、Ａ’２の距離開いた場合（絞り量β２）の光量をｂ２として表している。
【００３２】
図５（Ａ）左図のように、光束１６８の光軸と垂直な面上において、光束１６８の中心Ｏに対する固定絞り１６６の挿入方向と可動絞り１６７の挿入方向とを一致させた場合には、図５（Ａ）右図に示すように、Ａ２期間において絞り量に対して光量の追従性が低下している。これは、Ａ２期間において、固定絞り１６６と可動絞り１６７との遮蔽領域が重複することにより、実質的に可動絞り１６７での光量制御の効果が損なわれるためである。
【００３３】
一方で、図５（Ｂ）のように、光束１６８の光軸と垂直な面上において、光束１６８の中心Ｏに対する固定絞り１６６の挿入方向と可動絞り１６７の挿入方向とを直交させた場合は、絞り量に対して、光量の追従性が向上する。これは、固定絞り１６６と可動絞り１６７とが重複する領域が少ないためである。
本実施形態のプロジェクタ１００では、以上のように、光束１６８の中心Ｏに対する固定絞り１６６の挿入方向と可動絞り１６７の挿入方向とを直交させることにより、図５（Ａ）に示す従来の構成と比較して、光量の変化量の絞り量の変化量に対する追従性を向上させることができる。
【００３４】
ここで、図６（Ａ）および図６（Ｂ）を用いてＤＭＤ１８０への入射光に対する反射光の態様について説明する。
図６（Ａ）および図６（Ｂ）は、本実施形態に係るプロジェクタ１００の効果説明図である。図６（Ａ）は、入射光がＤＭＤ１８０のマイクロミラー１８４において反射する場合を示している。図６（Ｂ）は、入射光がＤＭＤ１８０のカバーガラス１８１において反射する場合を示している。
【００３５】
図６（Ａ）に示すように、ＤＭＤ（反射型ライトバルブ）１８０は、光路上における投写部１９０の直下流側に設けられる。ＤＭＤ１８０は、カバーガラス１８１と、マイクロミラー１８４とを有する。
カバーガラス１８１は、表面部である。カバーガラス１８１は、透明のガラスで、ＤＭＤ１８０を防塵する。
【００３６】
マイクロミラー１８４は、複数の微小なミラーを有しており、オン状態１８２と、オフ状態１８３との２つの状態を切り替えることが可能であって、２つの状態で各微小なミラーの傾きを変更する。
照明光３００は、ＤＭＤ１８０の表面に対して斜めから照射される。ＤＭＤ１８０のマイクロミラー１８４がオン状態１８２の場合は、ＤＭＤ１８０の反射光は、オン光３０１として反射される。
【００３７】
オン光３０１は、投写部１９０の開口を通過し、スクリーン１１０（図１参照）上へ投写される。ＤＭＤ１８０のマイクロミラー１８４がオフ状態１８３の場合は、ＤＭＤ１８０の反射光は、オフ光３０２として反射される。オフ光３０２は、投写部１９０の開口を通過せずに、スクリーン１１０（図１参照）上へ投写されない。
図６（Ｂ）に示すように、入射光がＤＭＤ１８０のカバーガラス１８１において反射する場合において、ＤＭＤ１８０の表面に対して斜めから照射される照明光３００は、カバーガラス１８１の表面で反射し、平面反射光３０３として反射される。
【００３８】
平面反射光３０３は、オフ光３０４と、不要成分光３０５とを有する。オフ光３０４は、投写部１９０の開口を通過せずに、スクリーン１１０上へ投写されない。不要成分光３０５は、投写部１９０の開口を通過し、スクリーン１１０上へ投写される。このため、平面反射光３０３の一部である不要成分光３０５は、映像のコントラストを低下させる要因となる。
【００３９】
そこで、本実施形態のプロジェクタ１００では、上段にて説明したように、図３および図５（Ｂ）に示す固定絞り１６６が、図６（Ｂ）に示す照明光３００の平面反射光３０３に含まれており投写光学系へ入射する不要成分光３０５を遮蔽する位置に設けられている。
すなわち、固定絞り１６６は、照射光３００がカバーガラス１８１の表面において反射した平面反射光３０３のうち、不要成分光３０５が投写光学系へ入射することを防いでいる。
これにより、不要成分光３０５が、投写部１９０の開口を通過して映像のコントラストを低下させてしまうことを防ぐことができる。このため、投写する映像の質の向上を図ることができる。
【００４０】
（他の実施形態）
本開示は、前述の実施形態に限られず、本開示の趣旨を逸脱しない範囲で種々の修正および変更が可能である。
【００４１】
（Ａ）
上記実施形態では、可動絞り１６７，１６７は、平板状で光の入射方向から見た断面が長方形である旨を説明した。しかし、本開示はこれに限定されるものではない。
例えば、平板状で光の入射方向から見た断面が三角形、台形など、他の形状を有する可動絞りを用いてもよい。可動絞り１６７が移動することにより、光を段階的に遮蔽することができれば同様の効果を得ることができる。
【００４２】
（Ｂ）
上記実施形態では、２つの可動絞り１６７，１６７が搭載された形態について説明した。しかし、本開示はこれに限定されるものではない。
例えば、３つ以上の可動絞りによって構成されていてもよい。複数の可動絞りが移動することにより、光を段階的に遮蔽することができれば、同様の効果を得ることができる。
【００４３】
（Ｃ）
以上のように、添付図面および詳細な説明によって、ベストモードと考える実施の形態と他の実施の形態とを提供した。これらは、特定の実施の形態を参照することにより、当業者に対して、特許請求の範囲に記載の主題を例証するために提供されるものである。したがって、特許請求の範囲またはその均等の範囲において、上述の実施の形態に対して、種々の変更、置き換え、付加、省略などを行うことができる。
【産業上の利用可能性】
【００４４】
本開示は、プロジェクタ等の投写型表示装置に広く適用可能である。
【符号の説明】
【００４５】
１００  プロジェクタ
１１０  スクリーン
１２０  照明光学系
１３０  光源
１３１  発光管
１３２  リフレクタ
１４０  ロッドインテグレータ
１５０  カラーホイール
１６０  リレー光学系
１６１，１６２，１６３  レンズ
１６５  絞り部
１６６  固定絞り
１６７  可動絞り
１６８  照明光の光束
１６９  円弧部
１７０  ＴＩＲプリズム
１７１  プリズム
１７２  プリズム
１８０  ＤＭＤ（反射型ライトバルブ）
１８１  カバーガラス
１８２  オン状態
１８３  オフ状態
１８４  マイクロミラー
１９０  投写部（投影光学系）
２００  制御部
２０５  映像信号解析部
２１０  絞り量算出部
２２０  絞り量制御部
２３０  可動絞り駆動部
３００  照明光
３０１  オン光
３０２，３０４  オフ光
３０３  平面反射光
３０５  不要成分光
【図１】
2014206721.tif 000003
【図２】
2014206721.tif 000004
【図３】
2014206721.tif 000005
【図４】
2014206721.tif 000006
【図５】
2014206721.tif 000007
【図６】
2014206721.tif 000008